(57)【要約】【課題】組立性が良いパネル体を提供する。【解決手段】本発明にかかるパネル体１は、縦材１７ａ、１７ｂと、横材１３、１５と、縦桟１９及び横桟２１、２３の少なくとも一方の桟材と、パネル２５ａ〜２５ｄと、グレチャン２７と、連結部品３９とを備え、縦材１７ａ、１７ｂと横材１３、１５と桟材１９、２１、２３とでパネル２５ａ〜２５ｄの４辺を囲む開口を、桟材１９、２１，２３を挟む両側に形成してあり、縦材１７ａ、１７ｂと横材１３、１５と桟材１９、２１，２３は、各々長手方向の取付溝２９を有し、グレチャン２７は、パネル２５ａ〜２５ｄの各辺に対応する長さを有し、取付溝２９に取り付けてあり、連結部品３９は、桟材１９、２１，２３の両端部に取り付けてあり、取付溝２９に弾性嵌合してある。【選択図】図１
2019019531.tif 000002
【特許請求の範囲】
【請求項１】
縦材と、横材と、縦桟及び横桟の少なくとも一方の桟材と、パネルと、グレチャンと、連結部品とを備え、縦材と横材と桟材とでパネルの４辺を囲む開口を、桟材を挟む両側に形成してあり、縦材と横材と桟材は、各々長手方向の取付溝を有し、グレチャンは、パネルの各辺に対応する長さを有し、取付溝に取り付けてあり、連結部品は、桟材の両端部に取り付けてあり、取付溝に弾性嵌合してあることを特徴とするパネル体。
【発明の詳細な説明】
【技術分野】
【０００１】
本発明は、パネル体に関する。
【背景技術】
【０００２】
非特許文献１には、横桟の上下にパネルを取り付けたパネル体が開示されている。
【先行技術文献】
【非特許文献】
【０００３】
【非特許文献１】第６０頁「三協アルミ  住宅建材  エントランス  総合カタログ  出入り口」カタログＮｏ．ＳＴＪ１２８５Ａ  三協立山株式会社  三協アルミ社  ２０１６年１１月発行
【発明の概要】
【発明が解決しようとする課題】
【０００４】
このような一つのパネル体に複数のパネルを取り付けたものでは、各パネルの周縁に取付けるグレチャンや桟材等の組み付けに手間がかかる為、組立性の向上が望まれていた。
【０００５】
そこで、本発明は、組立性が良いパネル体の提供を目的とする。
【課題を解決するための手段】
【０００６】
請求項１に記載の発明は、縦材と、横材と、縦桟及び横桟の少なくとも一方の桟材と、パネルと、グレチャンと、連結部品とを備え、縦材と横材と桟材とでパネルの４辺を囲む開口を、桟材を挟む両側に形成してあり、縦材と横材と桟材は、各々長手方向の取付溝を有し、グレチャンは、パネルの各辺に対応する長さを有し、取付溝に取り付けてあり、連結部品は、桟材の両端部に取り付けてあり、取付溝に弾性嵌合してあることを特徴とするパネル体である。
【発明の効果】
【０００７】
請求項１に記載の発明によれば、枠材と桟材の連結部における枠材や桟材の加工が不要であると共に連結にねじ等が不要であるから組立性が良い。
【図面の簡単な説明】
【０００８】
【図１】本発明の実施の形態にかかるパネル体の正面図である。
【図２】（ａ）は図１に示すＣ部の拡大図、（ｂ）は図１に示すＤ部の拡大図、（ｃ）は（ｂ）に示すＧ−Ｇ断面図である。
【図３】図１に示すパネル体の正面図において、各パネルとグレチャンと連結部品を抜き出して示す正面図である。
【図４】（ａ）は図３に示すＲ部を拡大して示す斜視図、（ｂ）は図３に示すＳ部を拡大して示す斜視図である。
【図５】図１に示すパネル体を用いたドアの正面図である。
【図６】図５に示すＡ−Ａ断面図である。
【図７】図５に示すＢ−Ｂ断面図である。
【図８】図１に示すパネル体の分解斜視図である。
【図９】縦桟にグレチャンを取り付ける工程を示す図であり、（ａ）は正面図、（ｂ）は側面図である。
【図１０】上横材にグレチャンを取り付ける工程を示す図であり、（ａ）は正面図、（ｂ）は側面図である。
【図１１】上横桟に連結部材を取り付ける工程を示す斜視図であり、（ａ）は連結部材を取り付ける前の状態であり、（ｂ）は連結部材を取り付けた後の状態を示す図である。
【図１２】上横材（横材）に嵌合部品を取り付ける工程を示す斜視図であり、（ａ）は嵌合部品を取り付ける前の状態であり、（ｂ）は嵌合部品を取り付けた後の状態を示す図である。
【図１３】パネル体の組立工程を（ａ）〜（ｃ）の工程毎に示す斜視図である。
【図１４】パネル体に框を取り付けてドアを組み立てる工程を示す斜視図である。
【図１５】第２実施の形態にかかるパネル体を用いたドアの正面図である。
【図１６】図１５に示すＥ−Ｅ断面図である。
【図１７】図１５に示すＦ−Ｆ断面図である。
【発明を実施するための形態】
【０００９】
以下に、添付図面を参照して本発明の実施の形態を説明するが、まず、図１〜図１４を参照して本発明の第１実施の形態について説明する。  
図５に示すように、本実施の形態にかかるパネル体１は、ドア３に用いられており、框５の内周にパネル体１が取付けられている。尚、図５では、取手を省略して示している。
框５は、上框７、下框９、左右の縦框１１、１１を備えており、図６及び図７に示すように、各上框７、下框９、縦框１１は、見込方向中央部にパネル体１の外周縁突起部１ａが嵌合する嵌合溝部５ａが形成されている。  
【００１０】
図１に示すように、パネル体１は、上横材１３と、下横材１５と、左縦材１７ａ、右縦材１７ｂとからなる枠体１８と、枠体１８の内周側を区画する縦桟１９と、上横桟２１と、下横桟２３と、第１パネル２５ａ、第２パネル２５ｂ、第３パネル２５ｃ、第４パネル２５ｄとを備えている。尚、上下左右は図１における上下左右である。  
第１パネル２５ａは、周囲を上横材１３と、下横桟２３と、左縦材１７ａと、縦桟１９とで囲まれている。第２パネル２５ｂは、周囲を上横材１３と、上横桟２１と、縦桟１９と右縦材１７ｂとで囲まれている。第３パネル２５ｃは、周囲を上横桟２１と、下横桟２３と、縦桟１９と右縦材１７ｂとで囲まれている。第４パネル２５ｄは、周囲を下横桟２３と、下横材１５と、左縦材１７ａと右縦材１７ｂとで囲まれている。  
図６に示すように、第１〜第４パネル２５ａ〜２５ｄは各々、厚みＭを有するガラス製であり、第１実施の形態では、各厚みＭは同じ寸法であり、例えば、厚みＭは４ｍｍである。  
【００１１】
図１０に示すように、上横材１３と、下横材１５と、左右の縦材１７ａ、１７ｂはアルミ形材製で、断面が略同じ形状を成しており、各々対応するパネル側に長手方向の取付溝２９が形成されている。各取付溝２９には、硬質のグレチャン（グレイジングチャンネル）２７が取付けてある。  
図３に示すように、グレチャン２７は、第１パネル２５ａ〜第４パネル２５ｄの各辺２６の長さに対応する長さを有し、各パネル２５ａ〜２５ｄの各辺２６に対応する位置に設けられている。例えば、第２パネル２５ｂでは、図４（ａ）（ｂ）に示すように、第２パネル２５ｂの辺２６に対して、各グレチャン２７の端２７ａは、横辺のグレチャン２７と縦辺のグレチャン２７とが干渉しないようにパネル２５ｂのコーナー２４を除く位置に配置してある。このように、グレチャン２７の長さは、各パネル２５ａ〜２５ｄの各辺２６において各コーナー２４を除いた寸法である。  
図１、図２（ｃ）及び図１０に示すように、各上横材１３と、下横材１５と、左右の縦材１７ａ、１７ｂの見込方向中間部には、これらで構成する枠体１８の外周に突設する外周縁突起部１ａが形成されている。  
また、上横材１３と、下横材１５と、左右の縦材１７ａ、１７ｂの各端部には斜めに切断された斜面部３１（図１０参照）が形成されている。  
図２（ａ）及び図８に示すように、上横材１３と下横材１５との各端部には嵌合部品３３が取付けてある。嵌合部品３３は、横材１３、１５の端部に係合する係合部３５と、対応する縦材１７ａ、１７ｂの端部が嵌合する嵌合部３７が形成されている。  
【００１２】
図６及び図７に示すように、縦桟１９、上横桟２１及び下横桟２３は、略同一の構成であり、長手方向の取付溝２９を長手方向に交差する両側に設けてある。換言すると、各縦桟１９、上横桟２１及び下横桟２３の取付溝２９は、各縦桟１９、上横桟２１及び下横桟２３の各々が対向するパネル側に設けてある。  
図１及び図８に示すように、縦桟１９、上横桟２１及び下横桟２３の長手方向の各端部には連結部品３９が取付けてある。この連結部品３９は、各縦桟１９、上横桟２１及び下横桟２３の端部を縦材１７ａ、１７ｂ、横材１３、１５や桟材１９、２１、２３の所定位置に連結するものである。  
図２（ｂ）（ｃ）及び図１１に示すように、連結部品３９は、各桟材１９、２１、２３の端に係合する係合部４１と、連結部品３９で連結する桟材１９、２１、２３、縦材１７ａ、１７ｂ又は横材１３、１５の取付溝２９に弾性嵌合する嵌合部４３とを有している。図１１（ｂ）に示すように、嵌合部４３は互いに対向する突片４３ａを有し、各突片４３ａは先端部が楔状に形成してあり且つ取付溝２９の開口部に係止する返し４３ｂが形成されている。  
図２（ｃ）に示すように、連結部品３９の見込寸法Ｗ１は、連結部品３９を取付けた桟材１９、２１、２３の見込寸法Ｗ２及び連結部品３９が連結する左右の縦材１７ａ、１７ｂ、縦桟１９、上横材１３、下横材１５の見込寸法Ｗ３と略同じ寸法にしている。
図４（ｂ）及び図８に示すように、各桟材１９、２１、２３、縦材１７ａ、１７ｂ又は横材１３、１５の取付溝２９において、連結部品３９が嵌合する位置は、グレチャン２７間の位置Ｔであり、この位置にはグレチャン２７はない。  
【００１３】
次に、パネル体１及びドア３の組立について説明する。まず、図９〜図１３を参照してパネル体１の組立について説明する。  
図９に示すように、縦桟１９、上横桟２１、下横桟２３には、両側にある各取付溝２９にグレチャン２７を取付ける。グレチャン２７は、対応する各パネル２５ａ〜２５ｄの各辺に対応する長さを有し、連結部品３９を取付ける位置Ｔには、隣り合うグレチャン２７は間隔を空けて配置されている。  
図３、図４（ｂ）及び図１０に示すように、上横材１３、下横材１５、左右の縦材１７ａ、１７ｂにも、各取付溝２９に、各パネル２５ａ〜２５ｄの各辺に対応する長さのグレチャン２７を取付け、連結部品３９を取付ける位置Ｔには、隣り合うグレチャン２７を間隔を空けて取り付ける。  
図１１に示すように、縦桟１９、上横桟２１、下横桟２３には、各端部に連結部品３９を取付けるが、連結部品３９の取付けは、連結部品３９の係合部４１を各桟材１９、２１、２３の端部に差し込んで係合する。  
図８及び図１２に示すように、上横材１３、下横材１５の各端には、嵌合部品３３を取付ける。嵌合部品３３の取付けは、その係合部３５を上横材１３及び下横材１５の各端部に押し込んで係合する。  
【００１４】
次に、パネル２５ａ〜２５ｄ、各桟材１９、２１、２３、横材１３、１５及び縦材１７ａ、１７ｂの取付けについて説明する。  
図１３（ａ）に示すように、縦桟１９の取付溝２９に上横桟２１の左端部に係合した連結部品３９を弾性嵌合により嵌め込む。上横桟２１の嵌め込みは、取付溝２９において、上下に取付けてあるグレチャン２７がない位置Ｔに嵌め込む。  
次に、第１パネル２５ａ、第２パネル２５ｂ及び第３パネル２５ｃの対応する辺を縦桟１９と上横桟２１に嵌め込む。  
図１３（ｂ）に示すように、第１パネル２５ａと第３パネル２５ｃの各下辺に下横桟２３を下から嵌め込み、次に、下横桟２３に第４パネル２５ｄの上辺を嵌め込み、第４パネル２５ｄの下辺に下横材１５を、第１パネル２５ａの上辺と第２パネル２５ｂの上辺に上から上横材１３を嵌め込む。図８に示すように、上横材１３の嵌め込みにおいて、縦桟１９の上端に取付けた連結部品３９は上横材１３のグレチャン２７がない取付位置Ｔに嵌め込む。  
図１３（ｃ）に示すように、第１パネル２５ａの左辺に左縦材１７ａを、第２パネル２５ｂと第３パネル２５ｃとの右辺に右縦材１７ｂを嵌め込むと共に、各縦材１７ａ、１７ｂの上端及び下端は、対応する上横材１３の嵌合部品３３（図８参照）と下横材１５の嵌合部品３３（図８参照）に嵌合する。  
また、図８に示すように、左縦材１７ａの嵌め込みでは、下横桟２３の左端部に取り付けた連結部品３９を上下のグレチャン２７の間に対応して設けた取付位置Ｔに嵌合する。右縦材１７ｂにおいても、上横桟２１と下横桟２３の右端部に連結部品３９をグレチャン間の対応する取付位置Ｔに嵌合する。  
以上により、図１及び図１４に示すパネル体１の組立が完了する。  
【００１５】
次に、図１４に示すように、パネル体１の外周の対応する位置に、上框７、下框９及び縦框１１を組み付ける。  
組付けに際しては、各框７、９、１１の嵌合溝部５ａに接着剤４９を間隔を空けて塗布し、パネル体１の外周に設けた外周縁突起部１ａ（図６及び図７参照）を、各框７、９、１１の嵌合溝部５ａに嵌合する。  
各框７、９、１１の組付けは、パネル体１の上横材１３に上框７を、下横材１５に下框９を取付けた後、上框７と下框９の左右に形成してある係合突起５１を、左右の縦框１１、１１の対応する位置に形成してある係合孔部５３に嵌め入れて組み付ける。  
【００１６】
次に、第１実施の形態の作用効果について説明する。  
図１及び図８に示すように、第１実施の形態によれば、縦桟１９、上横桟２１及び下横桟２３の両端部には、連結部品３９を取付けてあり、連結部品３９を対応する上横材１３、縦桟１９、縦材１７ａ、１７ｂに弾性嵌合により連結しているから、連結部における各桟材１９、２１、２３及び縦材１７ａ、１７ｂや横材１３、１５の加工が不要であると共に連結にねじ等が不要であるから組立性が良い。  
パネル体１は、各桟材１９、２１、２３の両端部に取り付けた連結部品３９を弾性嵌合により桟材１９、２１、２３や縦材１７ａ、１７ｂや横材１３、１５に嵌合して組み付けるから、連結位置を自由に設定でき、パネル２５ａ〜２５ｄの大きさや配置、桟材１９、２１、２３の位置、本数、形状を自由に変えることができるので、意匠の自由度が高い。
【００１７】
図３及び図４（ｂ）に示すように、各桟材１９、２１、２３に取付けた連結部品３９は、グレチャン２７、２７間に取付けるので、連結部品３９を取り付けた桟材１９、２１、２３の位置決めが容易であると共に連結部品３９を取り付けた桟材１９、２１、２３のガタ付きも防止できる。  
図２（ｂ）（ｃ）に示すように、連結部品３９の見込寸法Ｗ１は、連結部品３９を取付けた桟材１９、２１、２３の見込寸法Ｗ２及び連結部品３９が連結する縦桟１９、上横材１３、下横材１５の見込寸法Ｗ３と略同じ寸法にしているので、見付面が略面一にできるから意匠性が良い。  
左右の各縦材１７ａ、１７ｂと上横材１３及び下横材１５の連結は、嵌合部品３３で嵌合して行うので、縦材１７ａ、１７ｂと上横材１３、下横材１５の組立が容易にできる。
【００１８】
次に、図１５〜図１７を参照して第２実施の形態について説明する。  
この第２実施の形態では、図１６及び図１７に示すように、第１パネル２５ａの厚みＭ１と、第２パネル２５ｂの厚みＭ２と、第３パネル２５ｃの厚みＭ３とが異なっていると共にそれぞれ異なる厚み用のグレチャン２７を用いている。尚、第４パネル２５ｄの厚みＭ４は、第１パネル２５ａの厚みＭ１と同じにしてあると共に第４パネル２５ｄのグレチャンと同種のグレチャン２７を用いている。  
例えば、厚みＭ１は４ｍｍであり、厚みＭ２は５ｍｍであり、厚みＭ３は６ｍｍである。  
グレチャン２７は硬質樹脂製であり、各桟材１９、２１、２３や上横材１３、下横材１５及び左右の縦材１７ａ、１７ｂに形成してある取付溝２９に取付けたときにしっかりと取付けでき、且つ各パネル２５ａ〜２５ｄの厚みに対応するグレチャン２７を用いることで各パネル２５ａ〜２５ｄをしっかりと保持することができる。  
その他の構成は、上述した第１実施の形態と同様の構成である。  
【００１９】
この第２実施の形態では、第１パネル２５ａと第４パネル２５ｄに対して、第２パネル２５ｂ及び第３パネル２５ｃに異なる厚みＭ１〜Ｍ４のパネルを用いているので、一つのパネル体１の中に厚みの異なる種々のパネルを用いることができ、第１実施の形態に加えて更に意匠及び設計の自由度が高い。  
また、厚みの異なるパネル２５ａ〜２５ｃ毎にその厚みに対応するグレチャン２７を変えることで、パネル２５ａ〜２５ｃの厚みＭ１〜Ｍ４が異なってもしっかりと組み込むことができる。  
【００２０】
本発明は、上述した実施の形態に限らず、本発明の要旨を逸脱しない範囲で種々変形可能である。  
例えば、上横材１３と、下横材１５と、左右の縦材１７ａ、１７ａとの内周側には、縦桟１９を用いないで、横桟２１、２３のみを設けても良いし、横桟２１、２３は３つ又は４つ設けてパネル２５ａ〜２５ｄを上下に複数配置しても良いし、横桟２１、２３を用いないで縦桟１９のみを２つ又は３つ設けてパネル２５ａ〜２５ｄを左右に複数配置しても良く、パネル２５ａ〜２５ｄの配置や数や形状は限定されない。  
パネル２５ａ〜２５ｄは、ガラスパネルに限らず、樹脂パネル、アルミパネル、パンチングパネル等であっても良く、パネル２５ａ〜２５ｄの種類や材質は限定されない。  
本発明のパネル体１は、ドア３の用いることに限らず、間仕切り、フェンス等の他のインテリアやエクステリアの構造物に用いても良い。  
【符号の説明】
【００２１】
１    パネル体
１３  上横材
１５  下横材
１７ａ  左縦材
１７ｂ  右縦材
１９  縦桟
２１  上横桟
２３  下横桟
２５ａ〜２５ｄ  パネル
２７  グレチャン
２９  取付溝
３９  連結部品
４３  弾性嵌合部
Ｍ、Ｍ１〜Ｍ４  パネルの厚み
【図１】
2019019531.tif 000003
【図２】
2019019531.tif 000004
【図３】
2019019531.tif 000005
【図４】
2019019531.tif 000006
【図５】
2019019531.tif 000007
【図６】
2019019531.tif 000008
【図７】
2019019531.tif 000009
【図８】
2019019531.tif 000010
【図９】
2019019531.tif 000011
【図１０】
2019019531.tif 000012
【図１１】
2019019531.tif 000013
【図１２】
2019019531.tif 000014
【図１３】
2019019531.tif 000015
【図１４】
2019019531.tif 000016
【図１５】
2019019531.tif 000017
【図１６】
2019019531.tif 000018
【図１７】
2019019531.tif 000019